(57)【要約】【目的】本発明は老人、子供、身体障害者にも手軽に郵便物が取り出せる郵便受け箱に関する。【構成】図２のごとき郵便受け箱に図３のごとき回転板を組み込むが、回転板の一方の１６は傾斜し、他方の立ち上がった１３の上部の指掛け部７は、６の下面の磁石１８に吸着して図４のごとき状態で静止する。  １６の斜面上に投入された郵便物２０を取り出すには、７を押下げると１３、１６も連動して右向きに回転し、図５のごとく１６は６に衝突する。同時に１３は箱の右方へ張り出して停止する。このとき１６の動きで右方へ放出された２０は、箱の外へ張り出していた１３によって受け止められるから、手軽に取り出せる。【効果】指で７を押し下げるだけで、取り出す人の眼前に郵便物などが現れるので、誰にでも手軽に取り出せる。また長い留守にする場合は、図５の状態にしておくだけで郵便物などが２に詰まる不安がなく、防犯上有効である。【選択図】図５
2007209718.tif 000002
【特許請求の範囲】
【請求項１】
図３のごとくＶ字状に折り曲げた回転板（１３）、（１６）の下部に、軸棒（１５）、（１５′）を固定し、これを、底板がついてない図２のごとき便受け箱の内部に取り付け、指掛け部（７）を押し下げると、回転板（１３）、（１６）は右に約４分の１回転ほど移動して停止する。この直前まで（１６）に載っていた郵便物は、（１６）の回転に伴って放出されて、図５のごとく箱の外部に張り出した（１３）の上へ転送される。
【発明の詳細な説明】
［発明の詳細な説明］
【産業上の利用分野】
【０００１】  本発明は、配達された郵便物などを取り出す場合、郵便受け箱の中へ手を入れる面倒な動作から解放し、箱の中の郵便物などをワンタッチで箱の外部へ転送する機構を備えた郵便受け箱に関する。
【背景技術】
【０００２】  広く普及している郵便受け箱は、取り出し口へ手を差し入れて、郵便物などを掴み出す構造が支配的で、希に取り残すこともあり、取り出しには抵抗があった。
特に老人や子供や身体に障害をもつ人達には、不向きであった。インターホンなどをセットした製品もあるが、取り出し機構には新しい技術思想の形象は見当たらない。なお、旅行で留守中に図１の郵便投入部２に、郵便物などが詰め込まれ、空き巣狙いにマークされるケースがあるが、その防犯対策を施した郵便受け箱も見当たらない。
【発明が解決しようとする課題】
【０００３】  郵便受け箱の中に手を差し入れて郵便物などを掴み出す方式は前近代的で、不便であった。そこで、いちいち箱の中へ手を差し入れずに、ワンタッチで取り出せる機構を実現すれば、理想的な郵便受け箱として普及するだろう。
【課題を解決するための手段】
【０００４】  図１の郵便投入部２から入った郵便物などが、図２の１２を経て箱の中に落ちるが、箱の内部には図３のごとく中央部から折り曲げた回転版１３、１６、が軸棒１５、１５′に支えられて、１３はほぼ垂直に、１６はかなり傾斜した状態で取り付ける。その軸棒１５は箱の右側下部の孔穴８に、１５′も同様に反対側の孔穴に挿入する。
箱に落ちたきた郵便物などは底の役目をする１６が受け止めるが、ここまでは従来と大差はない。図４は、この時点の内部の状態を示した断面図である。
次に郵便物２０などを取り出す場合であるが、前述の通り１６は傾斜しているので、２０は１２から投入されると１６の斜面に沿って滑走して１６の基部付近に達する。１６の基部は図４のごとく右側の取り出し部に近接しているから、２０は１２から投入後、斜面を通過して反対側の取り出し部の近くまで移動している。箱から２０を取り出す場合は、１３の上の指掛け部７を押し下げると、回転板も連動し、１３、１６は共に右回転する。このとき１６の動きによって更に２０は右方へ投げ出されて、図５のごとく取り出し部の外へ張り出した１３の上に転送される。したがって郵便物などを手軽に取り出せる。
また、本発明の副次効果として防犯対策がある。留守日が長いと郵便物などが堆積して図１の２に詰込まれ、空き巣狙いにマークされがちであるが、出発まえに７を押して図５の状態にすれば、底が抜けているので２０はすべて箱を通過する。したがって２０は堆積することはなく、空き巣狙いの標的となることはなくなる。箱に袋をセットするか、直下に受け箱を配置すれば２０の汚染防止効果がある。
【作用】
【０００５】  本発明のポイントは、ほぼ中央部をＶ字形に折り曲げた図３のごとき回転板を、図２のような形状の郵便受け箱に軟固定した点にある。
図１は壁面に設置した郵便物投入部の一例で、ここから投入された郵便物２０は、図１の背部に固定された図２のごとき郵便受け箱の受入れ口１２を経て、箱の内部に傾斜している回転板１６に受け止められる。
回転板には軸棒１５、１５′が接合し、軸棒の両端は夫々、箱の両側の下方に偏した孔穴８に挿入されている。右方に直立する１３の上部の７は、図４の６の下部に密着した強力磁石１８に接触し、回転板を静止させている。
投入されて１６に受け止められた２０は、その傾斜面を滑って大半は箱の右下の１６の基部にまで移動している。
これを取り出すには７を押し下げて磁石１８から離脱させ、更に押し下げれば１３、１６、は当然ながら右回転するが、１６は図５のごとく６に接触して停止し、一方の１３は箱の側方に張り出して停止する。この動きの途中で１６から離脱して更に右方へ投げ出された２０は、その直前に箱の外部へ張り出した１３に受け止められる。図５はこの状態を示した。
なお、図５の状態にしておけば投入された２０は、解放部１９を通り抜けるので、長い留守中に、２に郵便物などが詰まって空き巣狙いの標的になることはない。ワンタッチで留守中の防犯対策ができる。箱の下方に袋や箱を配置するのが望ましい。
【実施例】
【０００６】  図２のごとき郵便受け箱の内側には、本発明にとって重要なＶ字形に折り曲げた回転板を取り付けておく。回転板の曲折部には軸棒１５、１５′を固定する。軸棒の両端は郵便受け箱の両側の孔穴８に挿入し、回転板を確実に保持する。なお軸棒を挿入する８は１２から最も離れた位置にあることが望ましい。
回転板は軸棒を中心にほぼ四分の一回転できるが、１６の傾斜を保つために図２の投入口の下部にストッパー１１を固定する。また６の下面には磁石を固定し７を吸着させ１３、１６の安定度を増す。なお、回転板の屈折部からの長さは、１３に対して１６を１ｃｍほど長くする。回転したときに６に接触して確実に停止させるためである。
１２を経て１６の斜面に達した２０は、斜面を滑走又は摺動して図４のごとく屈折部まで移動して停止する。
この２０を取り出すには、前述したように７に指をかけ、１８から剥がして更に下方に押せば、１６は１１から離れて図５のごとく６に接触して停止する。
郵便物などを取り出したら、７に指をかけて押し上げれば１８の磁力に吸着されて元の状態に戻る。また、図５の状態では２０を受け止める１６が跳ねあがって、底１９に相当する部分は抜けているので、１２から投入した２０は箱の中を素通りするので、しばらく留守にしても２に２０が詰まることはない。
【発明の効果】
【０００７】  指掛け部７を押し下げるだけで、図５のごとく、２０は箱の外へ張り出した１３に載って、取り出す人の目前に現れる。したがって老人や子供、身体障害者にも手軽に取り出せる。また、７を押し下げるだけで留守中の防犯対策となる。
【図面の簡単な説明】
【図１】  壁面の郵便物投入部である。
【図２】  郵便受け箱の斜視図である。
【図３】  回転板の斜視図である。
【図４】  郵便受け箱に回転板をセットした断面図である。
【図５】  郵便物を取り出す直前の郵便受け箱の状態を示した斜視図である。
【図６】  防犯対策をする場合に取り付ける収集袋の一例を示した側面図である。
【符号の説明】
１      郵便物投入部の固定枠
２      郵便物投入口
３、３′固定ねじ
４、４′３、３′に対応する孔穴
５      側面
６      張り出した天板の一部
７      指掛け部
８      軸棒の挿入口
９、９′図６の２１を掛ける孔穴
１０      郵便受け箱の前面
１１      回転板１６のストッパー
１２      郵便物受入れ口
１３      回転板
１４      孔穴
１５、１５′軸棒
１６      回転板
１７      郵便受け箱の天板
１８      ６の下面に固定した強力磁石
１９      底のない空間
２０      郵便物
２１      Ｓ字環
２２      郵便物収集袋
２３      収容された配達物
【図１】
2007209718.tif 000003
【図２】
2007209718.tif 000004
【図３】
2007209718.tif 000005
【図４】
2007209718.tif 000006
【図５】
2007209718.tif 000007
【図６】
2007209718.tif 000008